(57)【要約】【課題】従来、この種の誘導電動機の回転子は積層電磁鋼板からなる回転子鉄心のエンドリング部を複数突起部で構成されていた。前記従来の構成では、エンドリング部の突起部だけでは、誘導電動機内の空気を循環できないため固定子及び巻線の温度上昇が高くなるという課題を有していた。【解決手段】積層電磁鋼板からなる回転子２に複数の貫通穴５を有し、貫通穴に回転子の積厚幅より大きくした板状の羽根片６を貫通する構造とする。貫通穴に貫通した羽根片により、誘導電動機内の空気を循環させることができ、簡易な構成で安価かつ冷却性能を向上させた誘導電動機を提供することができる。【選択図】図1
2006296065.tif 000002
【特許請求の範囲】
【請求項１】
ベアリングを介して回転自由に保持された積層電磁鋼板からなる回転子と、前記ベアリングを保持するブラケットと、前記ブラケットにより挟み込まれた固定子を有する誘導電動機であって、前記回転子に複数の貫通穴を有し、この貫通穴に前記回転子の積厚幅より大きくした板状の羽根片を貫通した構造としたことを特徴とする誘導電動機。
【請求項２】
回転子の回転方向に対し板状の羽根片の角度を変化させた構造とした請求項１に記載の誘導電動機。
【請求項３】
羽根片をアルミ材または鉄材により構成した請求項１に記載の誘導電動機。
【請求項４】
請求項１〜３のいずれか１項に記載の誘導電動機を用いた空気調和機。
【発明の詳細な説明】
【技術分野】
【０００１】
本発明は、誘導電動機の回転子に関するものである。
【背景技術】
【０００２】
従来、この種の誘導電動機の回転子は、図５に示すように積層電磁鋼板からなる回転子１０１のエンドリング部１０２を複数突起部１０３で構成されていた（例えば、特許文献１参照）。
【特許文献１】特開２０００−０６００４５号公報
【発明の開示】
【発明が解決しようとする課題】
【０００３】
しかしながら、前記従来の構成では、エンドリング部１０２の複数の突起部１０３だけでは誘導電動機内の空気を循環できないため、固定子及び巻線の温度上昇が高くなるという課題を有していた。
【０００４】
本発明は、前記従来の課題を解決するもので、積層電磁鋼板からなる回転子に複数の貫通穴を有し、貫通穴に回転子の積厚幅より大きくした板状の羽根片を貫通することにより、羽根片により誘導電動機内の空気を循環させることができる。簡易な構成で安価、かつ冷却性能を向上させる誘導電動機を提供することを目的とする。
【課題を解決するための手段】
【０００５】
前記従来の課題を解決するために、本発明の誘導電動機は、ベアリングを介して回転自由に保持された積層電磁鋼板からなる回転子と、前記ベアリングを保持するブラケットと、前記ブラケットにより挟み込まれた前記固定子を有する誘導電動機であって、前記回転子に複数の貫通穴を有し、貫通穴に回転子の積厚幅より大きくした板状の羽根片を貫通する構造とする。また、羽根片の取付け取付け角度を変化させることにより、より放熱効果が向上する。
【発明の効果】
【０００６】
本発明の誘導電動機は回転子に複数の貫通穴を有し、貫通穴に回転子の積厚幅より大きくした板状の羽根片を貫通する構造とする。羽根片を板状にすることにより貫通穴に貫通するだけで安価な構成により風の流れを作ることができる。複数の貫通穴と板状の羽根片により誘導電動機内の空気が羽根片により貫通穴を通り循環することができる。空気を循環することにより、固定子及び巻線の温度を下げることができる。また、羽根片の取付け角度を変化させることにより、より循環効率が高まり放熱効果が向上する。
【発明を実施するための最良の形態】
【０００７】
第１の発明は、ベアリングを介して回転自由に保持された積層電磁鋼板からなる回転子と、前記ベアリングを保持するブラケットと、前記ブラケットにより挟み込まれた固定子を有する誘導電動機であって、前記回転子に複数の貫通穴を有し、貫通穴に回転子の積厚幅より大きくした板状の羽根片を貫通する構造とする。複数の貫通穴と板状の羽根片により誘導電動機内の空気が羽根片により貫通穴を通り循環することができる。空気が循環することにより、固定子及び巻線の温度を下げることができる。
【０００８】
第２の発明は、回転子の回転方向に対し羽根片の角度を変化させた構造とすることによりより空気の循環効率が高まり、固定子及び巻線の温度を下げることができる。
【０００９】
第３の発明は、羽根片をアルミ材、または鉄材により構成することにより羽根片の角度を自由にかえられる。羽根片の角度により、より空気の循環効率が高まり固定子及び巻線の温度を下げることができる。
【００１０】
上記実施の形態１〜３の誘導電動機は空気調和機の室外機に使用されるのが好ましい。空気調和機の室外機は、冷房運転時熱交換器により高温となり送風ファンにより誘導電動機に高温の風があたり、誘導電動機の内部温度が上昇する。誘導電動機の回転子に複数の貫通穴を有し、貫通穴に回転子の積厚幅より大きくした板状の羽根片を貫通する構造とすることにより誘導電動機内の空気が羽根片により貫通穴を通り循環することができる。空気が循環することにより、固定子及び巻線の温度を下げることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における誘導電動機の部分断面図、図２は回転子の断面図、図３は回転子の端面図を示す。
【００１３】
本実施の形態は、ベアリング１をして回転自由に保持された積層電磁鋼板からなる回転子２、前記ベアリング1を保持するブラケットＡ３、Ｂ４、前記ブラケットＡ３、Ｂ４より挟み込まれた固定子８を有する誘導電動機であって、前記回転子２にΦ１０ｍｍの貫通穴５を４個を有す。貫通穴５を貫通する羽根片６の大きさは高さ１１ｍｍ、厚み１ｍｍとする。また、長さ方向は回転子２の積厚幅より１０ｍｍ大きくした長さ４０ｍｍ（回転子積厚３０ｍｍの時）とする。羽根片の高さ方向を貫通穴より少し大きくすることにより羽根片６を貫通穴５に貫通するだけで羽根片６の固定が容易にできる。回転子２の回転により誘導電動機内の空気が羽根片６に当り、貫通穴５通りぬけ空気が循環される。空気が循環することにより固定子８及び巻線７の温度を下げることができる。
【００１４】
（実施の形態２）
図４は実施の形態２の断面図を示す。本実施の形態は、前記実施の形態１と羽根片に角度において相違しその他の点では実施の形態１と同様である。
【００１５】
実施の形態２の羽根片６ａを貫通穴５ａの空気の入り口側を回転方向に対し45°傾け、出口方向は出口とは逆に４５°傾ける。羽根片６ａをＳ字状にすることにより、より空気の循環効率が上がり固定子８及び巻線７の温度を下げることができる。
【００１６】
（実施の形態３）
本実施の形態は、羽根片６ａをアルミ材、鉄材にすることにより、羽根片６ａの角度が自在にでき、使用回転数により羽根片６ａの角度を決められる。羽根片６ａの角度を最適にすることにより空気の循環効率を高めることができる。循環効率が高まることにより固定子８及び巻線７の温度を下げることができる。
【００１７】
（実施の形態４）
上記実施の形態１〜３の誘導電動機は空気調和機の室外機に使用されるのが好ましい。空気調和機の室外機は、冷房運転時熱交換器により高温となり送風ファンにより誘導電動機に風があたり、誘導電動機の内部温度が上昇する。誘導電動機の回転子に複数の貫通穴を有し、貫通穴に回転子の積厚幅より大きくした板状の羽根片を貫通する構造とすることにより誘導電動機内の空気が羽根片により貫通穴を通り循環することができる。空気が循環することにより、固定子及び巻線の温度を下げることができる。本発明の誘導電動機を空気調和機用室外機に使用すると本発明の効果がより顕著に発現する。
【産業上の利用可能性】
【００１８】
以上のように、本発明にかかる誘導電動機は回転子に複数の貫通穴を有し、貫通穴に回転子の積厚幅より大きくした板状の羽根片を貫通する構造とすることにより、誘導電動機内の空気が羽根片により貫通穴を通り循環することができる。空気が循環することにより、固定子及び巻線の温度を下げることができる。また、羽根片の取付け角度を変化させることにより、より循環効率が高まり放熱効果が向上するため、空気調和機の室外機のモ−タ等の用途にも適用できる。
【図面の簡単な説明】
【００１９】
【図１】本発明の実施の形態１における誘導電動機の部分断面図
【図２】本発明の実施の形態１における回転子の断面図
【図３】本発明の実施の形態１における回転子の端面図
【図４】本発明の実施の形態２における回転子の断面図
【図５】従来の誘導電動機の部分断面図
【符号の説明】
【００２０】
１  ベアリング
２  回転子
３  ブラケットＡ
４  ブラケットＢ
５  貫通穴
６  羽根片
７  巻線
８  固定子
【図１】
2006296065.tif 000003
【図２】
2006296065.tif 000004
【図３】
2006296065.tif 000005
【図４】
2006296065.tif 000006
【図５】
2006296065.tif 000007